(57)【要約】【課題】  表示装置を容易に修理することができるようにする。【解決手段】  １画素を構成する３つの発光ダイオードを一方向に並べて構成した発光装置を、収納用シート４０に設けられている収納ポケット２０１〜２１６に収納して表示装置１ａを構成することにより、適切に発光しなくなった発光ダイオードが配設されている発光装置を交換又は修理するだけで、表示装置を正常な状態にさせることができるようにし、表示装置を容易に修理することができるようにする。【選択図】  図４
2005099792.tif 000002
【特許請求の範囲】
【請求項１】
複数の棒状発光装置と、上記複数の発光装置を個別に収納するための収納ポケットを備えた布製の収納用シートとを有し、上記複数の棒状発光装置に配設されている発光体の発光動作に基づいて表示を行う表示装置であって、
上記収納ポケットは、収納された棒状発光装置に配設されている発光体が外部から視認されるように、一部が開口しており、
上記棒状発光装置は、複数の発光体と、上記複数の発光体を収容するケースとを有し、
上記複数の発光体は、上記ケースの内部で一方向に並べられており、
上記ケースの内部は、上記複数の発光体の一部が露出するように充填されていることを特徴とする表示装置。
【請求項２】
上記収納用シートは、他の表示装置の収納用シートと相互に繋ぎ合わせられるように構成されていることを特徴とする請求項１に記載の表示装置。
【請求項３】
上記棒状発光装置は、上記複数の発光体を駆動するための駆動装置を有し、
上記ケースは、上記駆動装置を収容することを特徴とする請求項１又は２に記載の表示装置。
【請求項４】
上記棒状発光装置は、上記ケースの開口している面を覆うカバーを有し、
上記カバーは、上記ケースに収容されている複数の発光体が外部から視認されるように、一部が開口していることを特徴とする請求項１〜３の何れか１項に記載の表示装置。
【請求項５】
上記発光体は、１つ又は複数の発光ダイオードを有することを特徴とする請求項１〜４の何れか１項に記載の表示装置。
【請求項６】
複数の発光体と、上記複数の発光体を収容するケースとを有する棒状発光装置を複数備え、
上記複数の発光体は、上記ケースの内部で一方向に並べられており、
上記ケースの内部は、上記複数の発光体の一部が露出するように充填されていることを特徴とする表示装置。
【発明の詳細な説明】
【技術分野】
【０００１】
本発明は、表示装置に関し、特に、発光体を発光させて表示を行うために用いて好適なものである。
【背景技術】
【０００２】
文字情報を大きく表示して遠方で識別することができるようにするものとして、発光ダイオード（Light Emitting Diode；以下、ＬＥＤと表す）を用いた表示装置がある。
従来、このような表示装置では、マトリックス状に配置された多数のＬＥＤを点灯又は消灯することにより、所期の文字情報などを表示するようにしていた。
【発明の開示】
【発明が解決しようとする課題】
【０００３】
しかしながら、上述した従来の技術では、多数のＬＥＤの一部が正常に動作しなくなった場合でも、表示装置全体を修理しなければならず、表示装置を修理する際に、手間がかかるという問題点があった。
本発明は上述の問題点に鑑みてなされたものであり、表示装置を容易に修理することができるようにすることを目的とする。
【課題を解決するための手段】
【０００４】
本発明の表示装置は、複数の棒状発光装置と、上記複数の発光装置を個別に収納するための収納ポケットを備えた布製の収納用シートとを有し、上記複数の棒状発光装置に配設されている発光体の発光動作に基づいて表示を行う表示装置であって、上記収納ポケットは、収納された棒状発光装置に配設されている発光体が外部から視認されるように、一部が開口しており、上記棒状発光装置は、複数の発光体と、上記複数の発光体を収容するケースとを有し、上記複数の発光体は、上記ケースの内部で一方向に並べられており、上記ケースの内部は、上記複数の発光体の一部が露出するように充填されていることを特徴とする。
【発明の効果】
【０００５】
本発明によれば、ケース内で一方向に並べられている複数の発光体の一部が露出するように上記ケースの内部を充填するようにして棒状発光装置を構成し、この棒状発光装置を複数備えて表示装置を構成したので、棒状発光装置単位で表示装置を修理することができる。したがって、従来のように、表示装置全体を修理する必要がなくなり、表示装置を容易に修理することができる。さらに、防水性や耐腐食性を棒状表示装置毎に確保することができるので、防水性や耐腐食性を確保するための加工を表示装置全体に施す必要がなくなる。したがって、表示装置の防水性や耐腐食性を容易に確保することができる。さらに、上記棒状発光装置を布製の収納用シートに収納して表示装置を構成するようにしたので、表示装置を折りたたむことができ、表示装置を容易に持ち運ぶことができる。
また、本発明の他の特徴によれば、上記複数の発光体を駆動するための駆動装置を上記ケースに収容するようにしたので、上記複数の発光体と上記駆動装置とを、表示装置を組み立てる際に接続する必要がなくなる。これにより、表示装置を組み立てる際の配線作業を容易に行うことができる。
また、本発明のその他の特徴によれば、上記複数の発光体が収容されているケースの開口している面を、カバーを用いて覆うようにしたので、上記複数の発光体をより確実に保護することができる。
また、本発明の他の特徴によれば、他の表示装置の収納用シートと相互に繋ぎ合わせられるように収納用シートを構成するようにしたので、表示装置の持ち運びや保管をより容易に行うことができる。
【発明を実施するための最良の形態】
【０００６】
（第１の実施形態）
次に、図面を参照しながら、本発明の第１の実施形態について説明する。
図１は、本実施形態の表示装置の適用例を示した図である。具体的に説明すると、本実施形態の表示装置が取り付けられた巡視船の外観を示した図であり、図１（ａ）は、上記巡視船を側方から見た外観図、図１（ｂ）は、上記巡視船を上方から見た外観図である。
【０００７】
図１に示すように、本実施形態では、４つの表示装置１ａ〜１ｄが、巡視船２のキャビン３の側壁に設けられたハンドレール４ａ〜４ｄに取り付けられている。具体的に説明すると、図１では、キャビン３の一方の側壁に設けられたハンドレール４ａ、４ｂと、他方の側壁に設けられたハンドレール４ｃ、４ｄに、表示装置１ａ〜１ｄがそれぞれ２つずつ取り付けられている例を示している。そして、これら４つの表示装置１ａ〜１ｄにより、例えば、航海中の他の船舶に注意を促すための表示を行うようにしている。
【０００８】
図２は、本実施形態の表示装置１ａ〜１ｄを適用した表示システムの構成の一例を示した図である。
図２において、表示システムは、表示装置１ａ〜１ｄと、電源供給設備２０と、操作卓２１と、電源ボックス２２ａ、２２ｂと、入力インターフェース２３ａ〜２３ｄと、出力インターフェース２４ａ、２４ｂとを有している。
【０００９】
電源供給設備２０は、例えばキャビン３の中（屋内）に設けられているものであり、操作卓用電力発生装置と、ＬＥＤ用電力発生装置とを有している。
上記操作卓用電力発生装置は、例えば、１５０[ＶＡ]の容量を有しており、１００[Ｖ]、１５［Ａ］の電力を操作卓２１に与える。一方、上記ＬＥＤ用電力発生装置は、例えば、１６００[ＶＡ]の容量を有しており、１００[Ｖ]、８［Ａ］の電力を電源ボックス２２ａ、２２ｂに与える。
【００１０】
操作卓２１は、例えばキャビン３の中（屋内）に設けられているものであり、パーソナルコンピュータ２１ａと、送信装置２１ｂとを有している。パーソナルコンピュータ２１ａには、表示装置１ａ〜１ｄにおける表示内容を編集するためのアプリケーションソフトウェアがインストールされている。オペレータは、上記アプリケーションソフトウェアに基づいて、キーボードやマウスなどを操作して、表示装置１ａ〜１ｄにおける表示内容を編集する。
【００１１】
このようにして編集された内容を表示する表示装置１ａ〜１ｄには、それぞれ４つの表示領域１１ａ〜１１ｄ、１２ａ〜２１ｄ、１３ａ〜１３ｄ、１４ａ〜１４ｄが形成されており、各表示領域に１つの文字、１つの記号、及び１つの図形（絵）の何れかが表示されるようにしている。各表示領域１１ａ〜１１ｄ、１２ａ〜２１ｄ、１３ａ〜１３ｄ、１４ａ〜１４ｄは、縦が６４０［ｍｍ］、横が６４０［ｍｍ］の大きさを有している。したがって、表示装置１ａ〜１ｄは、縦が６４０［ｍｍ］、横が２５６０［ｍｍ］の有効画面サイズを有することになる。
なお、表示装置１ａ〜１ｄにおける表示内容はどのようなものであってもよい。例えば、日本語を表示してもよいし、英語を表示してもよい。さらに、同じ表示内容を継続して表示するようにしてもよいし、表示内容をスクロールしてもよい。
【００１２】
送信装置２１ｂは、パーソナルコンピュータ２１ａを用いてオペレータにより編集され
た内容を表示させるための信号（以下、表示信号と表す）を、信号伝送ライン２５ａ、２５ｂに送信する。この表示信号は、例えば、データ信号、クロック信号、ラッチ信号及びグランド信号により構成される。
このようにして、信号伝送ライン２５ａ、２５ｂに送信された表示信号は、入力インターフェース２３ａ〜２３ｄに入力される。ただし、上記表示信号に含まれるデータ信号は、入力インターフェース２３ａ、２３ｃにのみ入力され、入力インターフェース２３ｂ、２３ｄには入力されないようになっている（図９を参照）。
なお、パーソナルコンピュータ２１ａと送信装置２１ｂは、例えばＲＳ２３２Ｃケーブルにより接続される。ここで、ＲＳ２３２Ｃケーブルとは、ＲＳ２３２Ｃ規格に適合又は準拠したケーブルをいう。
また、入力インターフェース２３ａ〜２３ｄは、上記表示信号に含まれているデータ信号、クロック信号及びラッチ信号を受信するＲＳ４２２レシーバを有している。具体的に、表示装置１ａについて例を挙げて説明すると、図９に示すようにしてＲＳ４２２レシーバ２７が入力インターフェース２３ａに配設されている。ここで、ＲＳ４２２レシーバとは、ＲＳ４２２規格に適合又は準拠したレシーバをいう。
【００１３】
電源ボックス２２ａ、２２ｂは、例えばキャビン３の中（屋内）に設けられているものである。これら電源ボックス２２ａ、２２ｂは、電源供給設備２０内のＬＥＤ用電力発生装置から供給された電力を変圧するなどして、１５[Ｖ]、２０[Ａ]の第１の電力と、５[
Ｖ]、３[Ａ]の第２の電力を生成する。そして、生成した電力を電力ライン２６ａ、２６
ｂに送出する。
【００１４】
そして、電源ボックス２２ａ〜２２ｂから電力ライン２６ａ、２６ｂに送出された上記第１の電力は、入力インターフェース２３ａ〜２３ｄを介して表示装置１ａ〜１ｄに供給される。これにより、表示を行うのに必要な電力が、表示装置１ａ〜１ｄに供給される。なお、入力インターフェース２３ａ〜２３ｄは、電源ボックス２２ａ〜２２ｂから電力ライン２６ａ、２６ｂに送出された上記第２の電力により動作する。
また、信号伝送ライン２５ａ、２５ｂに送信された表示信号（データ信号、クロック信号、ラッチ信号、及びグランド信号）は、入力インターフェース２３ａ、２３ｃを介して表示装置１ａ、１ｃに送信される。表示装置１ａ、１ｃは、この表示信号に基づいた表示を行う。
【００１５】
このようにして表示装置１ａ、１ｃで表示を行うためのデータ信号、クロック信号、ラッチ信号、及びグランド信号は、出力インターフェース２４ａ、２４ｂ及び入力インターフェース２３ｂ、２３ｄを介して表示装置１ｂ、１ｄに入力される。表示装置１ｂ、１ｄは、入力された表示信号に基づいた表示を行う。
【００１６】
なお、出力インターフェース２４ａ、２４ｂは、上記表示信号に含まれているデータ信号、クロック信号及びラッチ信号を受信するＲＳ４２２レシーバを有している。具体的に、表示装置１ａについて例を挙げて説明すると、例えば、図９に示すようにしてＲＳ４２２レシーバ２８が出力インターフェース２４ａに配設されている。
【００１７】
また、入力インターフェース２３ａ〜２３ｄと出力インターフェース２４ａ、２４ｂは、水密性が保たれるように構成されている。具体的に説明すると、入力インターフェース２３ａ〜２３ｄと出力インターフェース２４ａ、２４ｂは、ケースの中で充填材により充填されている。このようにすれば、入力インターフェース２３ａ〜２３ｄと出力インターフェース２４ａ、２４ｂを、表示装置１ａ〜１ｄの近く（屋外）に配置することができ、無駄な配線を可及的になくすことができる。
【００１８】
次に、表示装置１ａ〜１ｄについて説明する。
図３は、表示装置１ａの外観の一例を示した図である。なお、図３では、表示装置１ａについてのみ示しているが、他の表示装置１ｂ〜１ｄについても同じ構成を有しているので、表示装置１ｂ〜１ｄについての詳細な説明を省略する。
図３に示すように、表示装置１ａには、４つの表示領域１３ａ〜１３ｄが形成されている。これら４つの表示領域１３ａ〜１３ｄは、それぞれ１６×１６画素（２５６画素）を有している。ただし、表示領域１３ａ〜１３ｄにおける画素数は、２５６画素に限定されないということは言うまでもない。
【００１９】
また、表示装置１ａの四隅には、鳩目３１ａ〜３１ｄが設けられている。本実施形態では、これら鳩目３１ａ〜３１ｄにロープ３２ａ〜３２ｄを通し、これらロープ３２ａ〜３２ｄをハンドレール４ａ、４ｂに結びつけて表示装置１ａを取り付けるようにしている。
【００２０】
図４は、表示装置１ａ（表示領域１３ａ）を上方から見た平面図である。また、図５は、表示装置１ａ（表示領域１３ａ）における断面図である。具体的に説明すると、図５（ａ）は、図４のＡ−Ａ´方向から見た断面図であり、図５（ｂ）は、図４のＢ−Ｂ´方向から見た断面図である。なお、図４及び図５では、表示領域１３ａについてのみ説明するが、他の表示領域１３ｂ〜１３ｄについても表示領域１３ａと同様の構成を有しているので、表示領域１３ｂ〜１３ｄについての詳細な説明を省略する。
【００２１】
本実施形態の表示装置１ａは、帆布製の収納用シート４０に６４個の発光装置を収納して構成され、上記６４個の発光装置における発光動作により、所望の表示を行うようにしている。
図４及び図５に示すように、収納用シート４０には、上記発光装置を個別に収納する収納ポケットが形成されている。具体的に説明すると、収納用シート４０により形成される４つの表示領域１３ａ〜１３ｄに、それぞれ１６個ずつ収納ポケットが形成されている。上述したように、図４及び図５では、表示領域１３ａについて示しているので、表示領域１３ａには、１６個の収納ポケット２０１〜２１６が形成される。そして、これら１６個の収納ポケット２０１〜２１６に、後述するような構成を有する発光装置が個別に収納される。また、収納ポケット２０１〜２１６には、収納された発光装置に配設されている発光体が外部から視認されるように円形の開口部が形成されている。
なお、表示装置に配設される収納ポケットの数と、上記収納ポケットに収納される発光装置の数は、６４個に限定されないということは言うまでもない。
【００２２】
また、収納用シート４０は、収納ポケットの挿入口を覆うカバー４１ａ〜４１ｄを有している。収納ポケットに発光装置を収納した後に、カバー４１ａ〜４１ｄを閉じるようにすることで、発光装置が収納ポケットの外部に飛び出てしまうことを防止するようにしている。
なお、カバー４１ａ〜４１ｄと収納用シート４０の本体には、それぞれ面ファスナーが設けられており、これら面ファスナーを用いて、収納用シート４０の本体に対してカバー４１ａ〜４１ｄが開閉可能になるようにしている。
【００２３】
次に、発光装置の構成について説明する。
図６は、収納ポケット２０１に収納される発光装置１０１の構成の一例を示した図である。具体的に説明すると、図６（ａ）は、発光装置１０１を上方から見た平面図である。図６（ｂ）は、図６（ａ）のＡ−Ａ´方向から見た断面図である。図６（ｃ）は、図６（ａ）のＢ−Ｂ´方向から見た断面図である。なお、図６では、発光装置１０１についてのみ示しているが、他の発光装置についても同じ構成を有しているので、上記他の発光装置についての詳細な説明を省略する。
【００２４】
図６において、発光装置１０１は、一列に並べられた１６個の発光体３０１〜３１６と
、駆動装置４０１と、プリント基板６１と、ケース６２と、螺旋６３ａ、６３ｂと、充填材６４とを有している。
【００２５】
発光体３０１〜３１６は、直径３［ｍｍ］の３つの緑色発光ダイオードを直列に接続して構成されている（図７を参照）。そして、本実施形態では、これら３つの発光ダイオードにより、１画素を構成するようにしている。
なお、発光体３０１〜３１６を構成する発光ダイオードの数、大きさ、色などは、表示内容の視認距離や視認角度などによって決定することができ、上述したものに限定されない。本実施形態では、快晴時における最小視認距離が３００［ｍ］、最小視認角度が４０［°］の場合を想定して、表示装置１ａ〜１ｄを構成している。また、複数色の発光ダイオードにより発光体３０１〜３１６を構成するようにしてもよい。すなわち、表示装置１ａ〜１ｄが、例えば赤色、緑色、及び橙色などで所望の内容を表示するように、発光体３０１〜３１６を構成するようにしてもよい。
【００２６】
駆動装置（ドライバ）４０１は、発光指示を行うための駆動信号を発光ダイオード３０１ａ〜３１６ｃに出力して、発光ダイオード３０１ａ〜３１６ｃを駆動するためのものである。発光ダイオード３０１ａ〜３１６ｃは、この駆動信号に従って発光する。このように、本実施形態では、１つの発光装置に対して１つの駆動装置を備えるようにしている。
【００２７】
プリント基板６１には、図７に示すような回路を実現するための回路パターンが形成されている。
図７に示した回路を具体的に説明すると、各発光体３０１〜３１６を構成する３つの発光ダイオードが直列に接続される。また、発光ダイオード３０１ｂ〜３１６ｂのカソードと、駆動装置４０１とが接続される。さらに、発光ダイオード３０１ｃ〜３１６ｃのアノードと、上記第１の電力（１５［Ｖ］の電圧）が供給されている電力ライン２６ａとが接続される。
【００２８】
ここで、発光装置１０１の製造方法について説明する。
まず、発光ダイオード３０１ａ〜３１６ｃと、駆動装置４０１を、上記回路パターンに従って、プリント基板６１のビアホールなどに接続する（図８（ａ）の第１の工程を参照）。
なお、ここでは、駆動装置４０１をプリント基板６１に接続するようにしたが、図７に示すような回路を実現することができれば、必ずしも駆動装置４０１をプリント基板６１に接続しなくてもよい。
【００２９】
次に、上述したようにして発光ダイオード３０１ａ〜３１６ｃと駆動装置４０１とが接続されたプリント基板６１を、螺旋６３ａ、６３ｂを用いて、例えばプラスチック製のケース６２の内部に取り付ける（図８（ｂ）の第２の工程を参照）。なお、発光ダイオード３０１ａ〜３１６ｃの上端部が、ケース６２の上面よりも下方に位置するように、ケース６２とプリント基板６１を構成しておくのが好ましい。このようにすれば、例えば、作業者が誤って発光ダイオード３１６ａ〜３１６ｃに触れることにより、発光ダイオード３１６ａ〜３１６ｃが破損してしまうことを可及的に防止することができ、発光ダイオード３０１ａ〜３１６ｃを保護することができる。
【００３０】
次に、発光ダイオード３０１ａ〜３１６ｃの上部が露出するように、ケース６２の内部を充填材６４により充填する（図８（ｃ）の第３の工程を参照）。このように本実施形態では、充填材６４でケース６２の内部を充填することにより、発光装置１０１を構成する部品の水密性を確保することができるようにしている。
【００３１】
また、駆動装置４０１をケース６２に収容して発光装置１０１を構成することにより、
表示装置１ａを組み立てる際に、発光ダイオード３０１ａ〜３１６ｃと駆動装置４０１とを接続しなくても済むようにし、表示装置１ａを組み立てる際の配線作業を容易に行うことができるようにしている。
【００３２】
なお、充填材６４としては、例えばウレタン樹脂や塩ビ樹脂などを用いるようにするのが好ましい。また、充填後にケース６２の内壁面と充填材５４とが密着するようにするのが特に好ましい。このようにするための方法の一例としては、硬化後も充填材６４が所定の粘度を有するようにしてケース６２を充填する方法が挙げられる。
ただし、発光ダイオード３０１ａ〜３１６ｃの一部を露出させ、且つ発光ダイオード３０１ａ〜３１６ｃ、駆動装置４０１、及びプリント基板６１における金属露出部が確実に充填されるようにしていれば、充填材の種類や充填方法などは限定されない。
なお、図６〜図８に示した発光装置１０１には、１６個の発光体３０１〜３１６が設けられるが、図６〜図８では、便宜上、一部の発光体３０５〜３１４を省略して示している。
【００３３】
次に、図９を参照しながら、以上のようにして形成される表示装置１ａ、１ｂの動作について説明する。なお、図９に示した表示装置１ａには、１６個の発光装置１０１〜１１６が設けられているが、図９では、便宜上、一部の発光装置１０２〜１１５を省略して示している。また、ここでは、表示装置１ａ、１ｂの動作について説明するが、表示装置１ｃ、１ｄの動作も表示装置１ａ、１ｂの動作と全く同じようにして行われるので、表示装置１ｃ、１ｄの動作についての詳細な説明を省略する。
【００３４】
まず、電源ボックス２２ａにて生成された５[Ｖ]、３[Ａ]の第２の電力は、入力インターフェース２３ａと、発光装置１０１、１１６に設けられている駆動装置４０１、４１６と、出力インターフェース２４ａに供給される。これにより、入力インターフェース２３ａと、駆動装置４０１、４１６と、出力インターフェース２４ａは、動作に必要な電力を得ることができる。
【００３５】
発光装置１０１の駆動装置４０１は、信号伝送ライン２５ａに送信されたデータ信号（ＤＡＴＡ）と、クロック信号（ＣＬＫ）と、ラッチ信号（ＬＡＴＣＨ）を受信し、受信した信号に基づいて、点灯する発光ダイオード３０１〜３１６を選択し、選択した発光ダイオード３０１〜３１６を点灯させるための処理を行う。その後、発光装置１０１の駆動装置４０１は、発光装置１０２の駆動装置（図示せず）にデータ信号ＤＳ１を送信する。
【００３６】
発光装置１０２の駆動装置は、信号伝送ライン２５ａに送信されたクロック信号とラッチ信号を受信するとともに、発光装置１０１の駆動装置４０１から送信されたデータ信号ＤＳ１を受信する。そして、受信した信号に基づいて、発光装置１０２に配設されている発光ダイオードの中から点灯する発光ダイオードを選択し、選択した発光ダイオードを点灯させるための発光処理を行う。その後、発光装置１０２の駆動装置は、発光装置１０３にデータ信号を送信する。
【００３７】
そして、このような動作を発光装置１０３〜１１６についても行って、所望の内容が表示領域１３ａに表示されるようにする。すなわち、最前段に配設されている発光装置１０１から順番に発光処理を行い、最後段に配設されている発光装置１１６まで発光処理が終わると、所望の内容が表示領域１３ａに表示されるようにする。
【００３８】
そして、発光装置１１６の駆動装置４１６から、出力インターフェース２４ａと入力インターフェース２３ｂを介して表示装置１ｂの最前段に配設されている発光装置に、データ信号ＤＳ１６が送信される。そして、表示装置１ｂにおいても表示装置１ａと同じようにして発光処理を行う。これにより、所望の表示内容が表示領域１３ｂに表示される。
なお、本実施形態では、図９に示すように発光装置１０１と入力インターフェース２３ａは、コネクタ９１を介して相互に接続されるようにしている。また、発光装置１１６と出力インターフェース２４ａは、コネクタ９２を介して相互に接続されるようにしている。さらに、隣接する発光装置１１０〜１１６もコネクタ（例えば図９に示すコネクタ９３、９４）を用いて相互に接続されるようにしている。
【００３９】
以上のように本実施形態では、１画素を構成する３つの発光ダイオードを一方向に並べて構成した発光装置を、収納用シート４０に設けられている収納ポケットに収納して表示装置１ａ〜１ｄを構成するようにしたので、一部の発光ダイオードの発光動作が適切に行われなくなった場合には、その発光ダイオードが配設されている発光装置を交換又は修理するだけで、表示装置１ａ〜１ｄを正常な状態にさせることができる。したがって、従来のように、表示装置全体を修理する必要がなくなり、表示装置１ａ〜１ｄを容易に修理することができる。
【００４０】
また、本実施形態では、発光ダイオードの上部のみが露出するように、ケース６２を充填材６４で充填して発光装置を構成するようにしたので、防水性や耐腐食性を発光装置毎に確保することができる。これにより、防水性や耐腐食性を確保するための加工を表示装置全体に施す必要がなくなる。したがって、表示装置の防水性や耐腐食性を容易に確保することができる。特に、本実施形態のように、海上を航海する巡視船２に表示装置１ａ〜１ｄを適用すれば、表示装置１ａ〜１ｄが海水（塩水）によって動作不良を起こしたり、腐食したりすることを可及的に防止することができ、屋外（海上）で使用するのに好適な表示装置を構成することができる。
【００４１】
さらに、本実施形態では、帆布製の収納用シート４０を用いて表示装置１ａ〜１ｄを構成するようにしたので、表示装置１ａ〜１ｄを折りたたむことができ、表示装置１ａ〜１ｄを容易に持ち運ぶことができる。したがって、必要のないときには、表示装置１ａ〜１ｄをしまっておくことができる。本実施形態の例でいえば、巡視船２から航海中の他の船舶に注意を促すときだけ、表示装置１ａ〜１ｄを取り付け、それ以外のときは、船内などに表示装置１ａ〜１ｄをしまっておくことができる。
【００４２】
特に、本実施形態では、収納用シート４０に鳩目３１ａ〜３１ｄを設け、この鳩目３１ａ〜３１ｄにロープ３２ａ〜３２ｄなどを通して表示装置１ａ〜１ｄを取り付けるようにしたので、表示装置１ａ〜１ｄの取り付けと取り外しが容易である。しかも、取り付けのための特別な装置を設けなくても、表示装置１ａ〜１ｄを取り付けることができる。ただし、必ずしも鳩目３１ａ〜３１ｄを設けて表示装置１ａ〜１ｄを取り付ける必要はない。例えば、表示装置１ａ〜１ｄの取り付け易さを考慮して、収納用シート４０にコネクタを設け、このコネクタを用いて表示装置１ａ〜１ｄを巡視船２に取り付けるようにしてもよい。
【００４３】
なお、本実施形態では、表示装置１ａ〜１ｄを巡視船２に取り付けた場合を例に挙げて説明したが、必ずしも表示装置１ａ〜１ｄを巡視船２に取り付ける必要はない。例えば、掃海船などに取り付けるようにしてもよく、船以外に取り付けるようにしてもよい。
【００４４】
また、本実施形態では、表示装置１ａ〜１ｄが、操作卓２１と１対１の通信を行うようにするために、入力インターフェース２３ａ〜２３ｄと、出力インターフェース２４ａ、２４ｂに、ＲＳ４２２レシーバ２７、２８を設けるようにしたが、必ずしもこれらが１対１の通信を行う必要はない。例えば、表示装置１ａ〜１ｄが、複数の装置と１対ｎ（ｎは２以上の自然数）の通信を行うようにするようにしてもよい。このようにする場合には、入力インターフェース２３ａ〜２３ｄと、出力インターフェース２４ａ、２４ｂに、ＲＳ４８５レシーバを設けるようにすればよい。
【００４５】
（第２の実施形態）
次に、本発明の第２の実施形態について説明する。本実施形態と、上述した第１の実施形態とでは、収納用シートの構成と、隣接する発光装置の接続形態とが主として異なるので、以下の説明において、上述した第１の実施形態と同一の部分については、図１〜図９に付した符号と同一の符号を付すなどして詳細な説明を省略する。
【００４６】
上述した第１の実施形態では、表示装置１ａ〜１ｄに、それぞれ４つの表示領域１１ａ〜１１ｄ、１２ａ〜２１ｄ、１３ａ〜１３ｄ、１４ａ〜１４ｄが形成されるようにし、各表示領域に１つの文字や記号などが表示されるようにしている。これに対し、本実施形態では、１つの表示装置に、１つの表示領域が形成されるようにし、この表示領域に１つの文字、１つの記号、及び１つの図形（絵）の何れかが表示されるようにしている。
【００４７】
図１０に示すように、本実施形態の表示装置１０００ａは、上述した第１の実施の形態と同様に、帆布製の収納用シート１１００を有している。ただし、本実施形態における収納用シート１１００に形成される収納ポケットの数は、１６個である。これら１６個の収納ポケットは、例えば、図４及び図５に示した収納ポケット２０１〜２１６と同じ構成を有している。
【００４８】
また、収納用シート１１００は、上述した第１の実施形態と同様に、収納ポケット２０１〜２１６の挿入口を覆うカバーを有し、面ファスナーを用いて、収納用シート１１００の本体に対してカバーが開閉可能になるようにしている。上記カバーは、例えば、図４及び図５に示したカバー４１ａと同じ構成を有している。
【００４９】
そして、本実施形態における収納用シート１１００には、ファスナー部１２００が形成されている。このファスナー部１２００は、表示装置１０００ａを他の表示装置と繋ぎ合わせる際に使用されるものである。
具体的に説明すると、例えば、図１１に示すように、表示装置１０００ａと、他の３つの表示装置１０００ｂ〜１０００ｄとを用いて、４つの表示領域を形成する場合、表示装置１０００ａ（収納用シート１１００）に形成されたファスナー部１２００と、表示装置１０００ｂ（収納用シート１１０１）に形成されたファスナー部１２０１とを噛み合わせて表示装置１０００ａ、１０００ｂを繋ぎ合わせる。同様に、ファスナー部１２０２〜１２０５を用いて、表示装置１０００ａ〜１０００ｄを繋ぎ合わせる。
なお、表示装置同士を相互に繋ぎ合わせられるように表示装置１０００ａ〜１０００ｄを構成するようにしていれば、必ずしもファスナーによりこれらを繋ぎ合わせるようにしなくてもよい。また、図１１に示したような方向に表示装置同士を繋ぎ合わせる必要はなく、これらをどのように繋ぎ合わせるようにしてもよい。
【００５０】
以上のような構成を有する収納用シート１０００ａに収納される発光装置は、例えば、図４及び図５に示した発光装置１０１〜１１６と同じ構成を有している。ただし、上述した第１の実施形態では、隣接する発光装置１０１〜１１６同士を、コネクタを介して相互に接続するようにしたが、本実施形態では、隣接する発光装置１０１〜１１６を直接接続するようにしている。
【００５１】
以上のように本実施形態では、発光装置１０１〜１１６を収納用シート１１００に収納し、収納した発光装置１０１〜１１６により１つの文字や記号などを表示するように表示装置１０００ａを構成するとともに、表示装置１０００ａと表示装置１０００ｂとをファスナー部１２００、１２０１を用いて繋ぎ合わせて、複数の表示領域を形成するようにしたので、故障した発光装置が配設されている表示装置１０００ａ〜１０００ｄを交換又は修理することで、所望の表示を行うために形成された複数の表示領域における表示動作を正常な状態にすることができる。
【００５２】
すなわち、本実施形態の表示装置１０００ａ〜１０００ｄでは、上述した第１の実施形態の表示装置１ａ〜１ｄよりも、故障の際に取り外す発光装置の数が多くなるが、隣接する発光装置１０１〜１１６を相互に接続するコネクタ（例えば、図９に示したコネクタ９３、９４）が不要になるため、表示装置１０００ａ〜１０００ｄを組み立てる際の配線作業を、上述した第１の実施形態の表示装置１ａ〜１ｄよりも容易に行うことができる。
【００５３】
また、表示装置１０００ａ〜１０００ｄの防水性や耐腐食性を容易に確保することができることや、表示装置１０００ａ〜１０００ｄを折りたたんで持ち運ぶことができることや、表示装置１０００ａ〜１０００ｄの取り付けと取り外しが容易であることは、上述した第１の実施形態と同じである。
そして、これらの効果に加え、本実施形態では、表示装置１０００ａ〜１０００ｄが着脱可能に構成されているので、例えば、表示装置１０００ａ〜１０００ｄを分離させて持ち運び、表示装置１０００ａ〜１０００ｄを取り付ける場所（例えば、ハンドレール４ａ〜４ｄ）でこれらを繋ぎ合わせるようにすることができる。したがって、上述した第１の実施形態よりも、表示装置１０００ａ〜１０００ｄを持ち運ぶ際に生じる作業者の負担をより低減することができる。さらに、表示装置１０００ａ〜１０００ｄを分離して格納しておくこともできるので、より狭いスペースに表示装置１０００ａ〜１０００ｄを格納しておくことができる。したがって、表示装置１０００ａ〜１０００ｄの保管をより容易に行うことができる。
【００５４】
なお、上述した第１の実施形態と同様に、表示装置１０００ａ〜１０００ｄに配設される収納ポケットの数と、上記収納ポケットに収納される発光装置の数は、１６個に限定されないということは言うまでもない。
【００５５】
（第３の実施形態）
次に、本発明の第３の実施形態について説明する。本実施形態では、上述した第１及び第２の実施形態とは、発光装置の構成が異なるだけであるので、以下の説明において、上述した第１及びの実施形態と同一の部分については、図１〜図１１に付した符号と同一の符号を付すなどして詳細な説明を省略する。
図１２は、本実施形態の発光装置の構成の一例を示した図である。
本実施形態の発光装置１３０１は、以下のようにして構成される。
まず、発光ダイオード３０１ａ〜３１６ｃと駆動装置４０１とが接続されたプリント基板６１を、螺旋６３ａ、６３ｂを用いて、例えばプラスチック製のケース１３０２の内部に取り付ける。次に、ケース６２の内部を充填材６４により充填する。そして、ケース１３０２にカバー１３０３を取り付ける。
このカバー１３０３は、ケース１３０２に取り付けられた際に、ケース１３０２内で露出している発光ダイオード３０１ａ〜３１６ｃが外部から視認されるように、一部が開口している（１６個の円形の開口部を有している）。
【００５６】
そして、このような発光装置１３０１を複数設け、これら複数の発光装置を収納用シート４０、１１００〜１１０３に収納して表示装置を構成する。
【００５７】
以上のように本実施形態では、ケース１３０２の開口している面を覆うように、カバー１３０３をケース１３０２に取り付けるようにしたので、上述した第１及び第２の実施形態の効果に加え、例えば、作業者が誤って発光ダイオード３１６ａ〜３１６ｃに触れることにより、発光ダイオード３１６ａ〜３１６ｃが破損してしまうことを確実に防止することができる。すなわち、発光ダイオード３１６ａ〜３１６ｃをより適切に保護することができる。
【図面の簡単な説明】
【００５８】
【図１】本発明の第１の実施形態を示し、表示装置が取り付けられた巡視船の外観を示した図である。
【図２】本発明の第１の実施形態を示し、表示装置を適用した表示システムの構成の一例を示した図である。
【図３】本発明の第１の実施形態を示し、表示装置の外観の一例を示した図である。
【図４】本発明の第１の実施形態を示し、表示装置を上方から見た平面図である。
【図５】本発明の第１の実施形態を示し、表示装置の断面図である。
【図６】本発明の第１の実施形態を示し、発光装置の構成の一例を示した図である。
【図７】本発明の第１の実施形態を示し、１画素を構成する発光ダイオードの結線状態の一例を示した回路図である。
【図８】本発明の第１の実施形態を示し、発光装置の製造工程の一例を製造工程順に示した製造工程断面図である。
【図９】本発明の第１の実施形態を示し、表示装置の構成の一例を示した図である。
【図１０】本発明の第２の実施形態を示し、表示装置を上方から見た平面図である。
【図１１】本発明の第２の実施形態を示し、繋ぎ合わされた４つの表示装置の外観の一例を示した図である。
【図１２】本発明の第３の実施形態を示し、発光装置の構成の一例を示した図である。
【符号の説明】
【００５９】
１、１０００  表示装置。
２  巡視船
３  キャビン
３１  鳩目
３２  ロープ
４０、１１００〜１１０３  収納用シート
６４  充填材
１０１〜１１６、１３０１  発光装置
２０１〜２１６  収納ポケット
３０１〜３１６  発光体（発光ダイオード）
４０１  駆動装置
１３０３  カバー
【図１】
2005099792.tif 000003
【図２】
2005099792.tif 000004
【図３】
2005099792.tif 000005
【図４】
2005099792.tif 000006
【図５】
2005099792.tif 000007
【図６】
2005099792.tif 000008
【図７】
2005099792.tif 000009
【図８】
2005099792.tif 000010
【図９】
2005099792.tif 000011
【図１０】
2005099792.tif 000012
【図１１】
2005099792.tif 000013
【図１２】
2005099792.tif 000014